(57)【要約】  少なくとも一つの加入者端末機とネットワーク網を通じて接続されるソーシャルネットワーキングサービスの提供システム及び方法が提供される。本発明によると、ユーザが自分の人生に対して目標を立て、目標を達成するためのアクティビティを実践し、必要に応じては、目標設定ステップで、またはアクティビティ実践の途中にも、他の加入者の人生コンテンツをみて自分に応用することができ、他のユーザのコメントは、加入者が成功した、幸せな人生を生きていくように、心と行動を変化させる触媒の役割を果たすことができる。
2013544405.tif 000002
【特許請求の範囲】
【請求項１】
少なくとも一つの加入者端末機とネットワーク網を通じて接続されるソーシャルネットワーキングサービスの提供システムであって、
前記加入者の個人情報、目標及びアクティビティを含むプロファイル情報を格納する加入者プロファイルＤＢと、
前記加入者プロファイル情報のうち公開されたプロファイル情報を格納するソーシャルインタチェンジフィールドＤＢと、
前記アクティビティに対するコメント及びセレモニー情報のうち少なくとも一つの情報を格納するカタリストＤＢと、
前記加入者端末機から人生の目標及び目標を達成するためのアクティビティの入力を受けて前記加入者のプロファイル情報及びソーシャルインタチェンジフィールドを生成するかアップデートし、前記加入者端末機の選択に応じて、他のユーザのアクティビティ、ソーシャルインタチェンジフィールド、前記アクティビティに対応するコメント、目標達成過程に対応するセレモニーのうちの少なくとも一つの情報を提供する制御部とを含むソーシャルネットワーキングサービスの提供システム。
【請求項２】
前記制御部は、
前記加入者端末機の認証を処理する加入者管理部と、
前記加入者端末機から人生の目標及び目標を達成するためのアクティビティの入力を受けて前記加入者のプロファイル情報及びソーシャルインタチェンジフィールドにアップデートするソーシャルインタチェンジフィールド制御部と、
前記加入者端末機の選択に応じて、他のユーザのアクティビティ、ソーシャルインタチェンジフィールド、前記アクティビティに対応するコメント、目標達成のプロセスに対応するセレモニーのうち少なくとも一つの情報を提供する情報提供部とを含む請求項１に記載のソーシャルネットワーキングサービスの提供システム。
【請求項３】
少なくとも一つの加入者端末機とネットワーク網を通じて接続されるソーシャルネットワーキングサービスの提供システムであって、
前記加入者の個人情報、目標及びアクティビティを含むプロファイル情報を格納する加入者プロファイルＤＢと、
前記加入者プロファイル情報のうち公開されたプロファイル情報を格納するソーシャルインタチェンジフィールドＤＢと、
前記アクティビティに対するコメント及びセレモニー情報のうち少なくとも一つの情報を格納するカタリストＤＢと、
前記アクティビティの種類に対応する知識情報を格納する知識ＤＢと、
知識情報に対応するビジョン情報を格納するビジョンＤＢと、
前記ビジョン情報に対応する製品の広告情報を格納する製品広告ＤＢと、
前記加入者端末機から人生の目標及び目標を達成するためのアクティビティの入力を受けて前記加入者のプロファイル情報及びソーシャルインタチェンジフィールドを生成するかアップデートし、前記加入者端末機の選択に応じて、他のユーザのアクティビティ、ソーシャルインタチェンジフィールド、前記アクティビティに対応するコメント、目標達成のプロセスに対応するセレモニーのうちの少なくとも一つの情報を提供し、前記アクティビティ情報の提供時に前記アクティビティに対応する知識情報、ビジョン情報及び製品広告情報のうちの少なくとも一つを提供する制御部とを含むソーシャルネットワーキングサービスの提供システム。
【請求項４】
前記制御部は、
前記加入者端末機の認証を処理する加入者管理部と、
前記加入者端末機から人生の目標及び目標を達成するためのアクティビティの入力を受けて前記加入者のプロファイル情報及びソーシャルインタチェンジフィールドにアップデートするソーシャルインタチェンジフィールド制御部と、
前記加入者端末機の選択によって他のユーザのアクティビティ、ソーシャルインタチェンジフィールド、前記アクティビティに対応するコメント、目標達成のプロセスに対応するセレモニーのうちの少なくとも一つの情報を提供する情報提供部と、
前記アクティビティ情報の提供時に前記アクティビティに対応する知識情報、ビジョン情報及び製品広告情報のうち少なくとも一つを提供する広告制御部とを含む請求項３に記載のソーシャルネットワーキングサービスの提供システム。
【請求項５】
データベース部及び制御部を具備し、少なくとも一つの加入者端末機とネットワーク網を通じて接続されるソーシャルネットワーキングサービスの提供システムのソーシャルネットワーキングサービスの提供方法であって、
前記制御部が前記加入者端末機から加入者の個人情報、前記加入者の目標及びアクティビティを含む情報を受信して人生コンテンツを格納するソーシャルインタチェンジフィールドを生成して前記データベース部に格納するステップと、
前記加入者端末機からアクティビティが入力されると、前記制御部が前記アクティビティをタグ機能を利用して分類するステップと、
前記制御部が前記アクティビティ情報を前記データベースにアップデートするステップとを含むソーシャルネットワーキングサービスの提供方法。
【請求項６】
前記アクティビティの入力に応じて所定のセレモニーを提供するステップをさらに含む請求項５に記載のソーシャルネットワーキングサービスの提供方法。
【請求項７】
データベース部及び制御部を具備し、少なくとも一つの加入者端末機とネットワーク網を通じて接続されるソーシャルネットワーキングサービスの提供システムのソーシャルネットワーキングサービスの提供方法であって、
前記制御部が前記加入者端末機にメニュー情報を提供するステップと、
前記加入者端末機が全てのアクティビティ表示を選択した場合、前記データベースを参照して全ての加入者のアクティビティを提供するステップと、
前記加入者端末機が全てのソーシャルインタチェンジフィールド表示を選択した場合、前記制御部が前記データベースを参照して全ての加入者のソーシャルインタチェンジフィールドの最近のアクティビティを提供するステップと、
前記アクティビティを選択すれば、前記アクティビティに対応するソーシャルインタチェンジフィールドを提供するステップとを含むソーシャルネットワーキングサービスの提供方法。
【請求項８】
前記端末機の選択によって前記アクティビティに対応するコメントを受信し、前記データベース部に格納するステップをさらに含む請求項７に記載のソーシャルネットワーキングサービスの提供方法。
【請求項９】
データベース部及び制御部を具備し、少なくとも一つの加入者端末機とネットワーク網を通じて接続されるソーシャルネットワーキングサービスの提供システムのソーシャルネットワーキングサービスの提供方法であって、
前記制御部が前記加入者端末機にメニュー情報を提供するステップと、
前記加入者端末機が全てのアクティビティ表示を選択した場合、前記データベースを参照して全ての加入者のアクティビティと前記アクティビティに対応する知識情報、ビジョン情報、製品広告情報のうちの少なくとも一つの情報の一部を提供するステップと、
前記加入者端末機が全てのソーシャルインタチェンジフィールド表示を選択した場合、前記制御部が前記データベースを参照して全ての加入者のソーシャルインタチェンジフィールドの最近のアクティビティと前記アクティビティに対応する知識情報、ビジョン情報、製品広告情報のうちの少なくとも一つの情報の一部を提供するステップと、
前記知識情報、ビジョン情報、製品広告情報のうちの少なくとも一つの情報の一部を選択すれば、選択された情報の全体を提供するステップとを含むソーシャルネットワーキングサービスの提供方法。
【請求項１０】
前記知識情報、ビジョン情報、製品広告情報のうちの少なくとも一つの情報の一部を選択すれば、前記知識情報、ビジョン情報、製品広告情報を順次に提供するステップをさらに含む請求項９に記載のソーシャルネットワーキングサービスの提供方法。
【請求項１１】
前記製品広告情報を提供した後に購買を選択すれば、購買手続きに進むウェブページに接続させるステップをさらに含む請求項１０に記載のソーシャルネットワーキングサービスの提供方法。
【発明の詳細な説明】
【技術分野】
【０００１】
本発明は、ソーシャルネットワーキングサービスに関し、特に、ソーシャルネットワーク上でユーザが人生コンテンツを直接作りながら実践し、他のユーザと自分の人生コンテンツを共有するようにし、ユーザと広告主との間の双方向のコミュニケーションを促進して、広告の効率性及び有効性を高めるソーシャルネットワーキングサービスの提供システム及び方法に関する。
【背景技術】
【０００２】
最近、ウェブコンテンツの提供及び使用形態が急速に変化しつつある。最初にウェブコンテンツが普及され始めた時は、既存のメディアで使われた方法で、少数の専門プロバイダーが大部分のコンテンツを作って普及し、多数の一般ユーザは、単に普及されたコンテンツを消費するだけであった。
【０００３】
しかし、最近、ユーザの参加と協働が強調されているウェブ２．０の出現により、一般ユーザもコンテンツの生成に参加するようになり、最近では、ブログや共有サイトなどを中心として制作者とユーザとの明確な区分のない形態のコンテンツのオーサリング及び使用が加速している。
【０００４】
これにより、ユーザの生成コンテンツが全体のウェブで占める比重も急激に高くなっている。このようなユーザの生成コンテンツは、代表的に、ブログ、マイクロブログ、ウェブフォーラム、写真やビデオ共有サイトなどで多く表示されており、また、ソーシャルネットワークプラットホームを通じて多くのユーザが自らコンテンツを生成している。このようなユーザの生成コンテンツの爆発的な増加により、膨大な量のコンテンツを対象として検索や推薦を通じて良質のコンテンツをユーザに提供する技術が必要となった。
【０００５】
一方、人々は、成功的でかつ幸せな人生を生きることを望む。しかし、これを実践することは、非常に難しい。それなりに年初や目標としたことがある時に自分が目標を立て、それを黙々と実践していく人がいる反面、そうでない人も多い。
【０００６】
他方、最近では、大部分の人々がスマートフォンやタブレットコンピューター（Ｔａｂｌｅｔ  ＰＣ）などの革新的なデジタル機器を広く使用しており、このような機器を利用して、自分のスケジュール管理や電子メールの確認など多様な業務処理が可能になっているのが実情である。
【０００７】
既存のソーシャルネットワーキングサービス（ＳＯＣＩＡＬ  ＮＥＴＷＯＲＫ  ＳＥＲＶＩＣＥ）上では、関係作り及び情報交換などに留まっており、インターネット上で交換されるコンテンツ（情報、資料など）の量は、過去のオフラインに比べて画期的に増加したが、重複したコンテンツの流通、流通されるコンテンツの低いクォリティー（ＱＵＡＬＩＴＹ）と、ソーシャルネットワークのメンバーであるユーザ（ＵＳＥＲ）の非生産的な情報活用度に対しては、依然として解決しなければならない課題として残っている状況である。
【０００８】
現行のソーシャルネットワーキングサービスは、関係作り、情報交換などに限定されており、加入者数をベースとした商業的な活用を優先してフォーカスし、ソーシャルネットワーキングサービスに参加するユーザの総合的な人生の目標及び目的の達成につながる機能を実行するには限界がある。
【０００９】
このように、従来にはソーシャルネットワーキングサービスが興味本位あるいは断片的な情報流通に重点を置いていたため、類似するコンテンツの重複流通、流通しているコンテンツのクォリティの低下、強い中毒性による社会的な副作用、そして、ソーシャルネットワークのメンバーであるユーザの生産性の低い情報活用などが問題点として指摘されている。
【００１０】
一方、多様な広告媒体の増加により顧客にアクセスするためのパスはますます多くなっており、また、インターネットのような相互作用的なメディア技術の発達によって、顧客と企業との間のコミュニケーションがリアルタイムで行われるようになった。このような広告媒体の多様性と情報技術の発達により、一日２４時間ずっと、ＯＮ−ＯＦＦ  ＬＩＮＥに関らず、あちこちで各種の広告メッセージが見られるようになった。
【００１１】
しかし、大部分の顧客は、商業的な広告を回避しており、広告主の立場では、広告費の支出による効果が期待ほど得られないのが実情である。
【００１２】
特に、既存のオンライン広告は、ユーザが情報を探すために検索するウェブページ（Ｗｅｂ  Ｐａｇｅ）コンテンツ（Ｃｏｎｔｅｎｔｓ）にあった広告を見せることによって、広告をユーザの意図及び関心に正確に一致させるには限界があり、ユーザは、基本的に商業的な広告に対しては回避しているため、広告の効率性及び有効性に対しては疑問視されているのが実情である。さらに、ユーザの多くの日常的な活動の中で検索するアクティビティ（ＡＣＴＩＶＩＴＹ）のみに焦点を合わせてターゲットの顧客（ＴＡＲＧＥＴ  ＡＵＤＩＥＮＣＥ）を設定して広告をすることは、基本的に限界があるはずである。
【発明の概要】
【発明が解決しようとする課題】
【００１３】
本発明がなそうとする技術的課題は、従来の短所を解決しようとするもので、ユーザが自分の夢と目標を設定して目標を実践し、実践に対する評価を受けることで、自分が望む人生を生きるように手伝い、他のユーザの人生コンテンツを活用可能にし、他のユーザに対して評価が可能なソーシャルネットワーキングサービスの提供システム及び方法を提供することである。
【００１４】
また、ソーシャルネットワーキングサービス（ＳＯＣＩＡＬ  ＮＥＴＷＯＲＫ  ＳＥＲＶＩＣＥ）がより未来指向的で、創意的、かつ生産的なオン−オフライン（ＯＮ−ＯＦＦ  ＬＩＮＥ）空間として位置づけるようにする。そして、ソーシャルネットワーキングサービスに参加するユーザ（ＵＳＥＲ）が単純にコンテンツの消費者のレベルに留まるのではなく、コンテンツの創作者（生産者）、プロバイダー及び消費者としての役割を行うようにする。これを通じて、ユーザが自分の差別化された人生ビジョン（ＬＩＦＥ  ＶＩＳＩＯＮ）を達成するために、自分の人生（ＬＩＦＥ）のリーダー（ＬＥＡＤＥＲ）になるようにする。そして、ソーシャルネットワーキングサービスが商業的な市場価値の拡大だけでなく、社会的な便益（ＳＯＣＩＡＬ  ＢＥＮＥＦＩＴ）を高めることに寄与するようにする。
【００１５】
そして、基本的にソーシャルネットワークユーザの意図及び関心を読み取ることが出来るアクティビティに関連した広告をユーザと広告主とが双方向に通信するようにし、広告の内容も、単純に広告主の製品あるいはサービスを広報することだけにとらわれずに、先ずユーザの立場から必要な情報を段階的に見せて、広告主に対する理解度及び広告の受容性を高め、さらに、製品あるいはサービスの購買に繋がせるソーシャルネットワーキングサービスの提供システム及び方法を提供する。即ち、ユーザの関心事に適合した知識と会社の紹介及び広告に繋がる専門的な広告方法で、広告の有効性及び効率を高めるソーシャルネットワーキングサービスの提供システム及び方法を提供する。
【課題を解決するための手段】
【００１６】
このような課題を解決するための本発明の特徴によるソーシャルネットワーキングサービスの提供システムは、少なくとも一つの加入者端末機とネットワーク網を通じて接続されるソーシャルネットワーキングサービスの提供システムであって、前記加入者の個人情報、目標及びアクティビティを含むプロファイル情報を格納する加入者プロファイルＤＢと、前記加入者プロファイル情報のうち公開されたプロファイル情報を格納するソーシャルインタチェンジフィールドＤＢと、前記アクティビティに対するコメント及びセレモニー情報のうち少なくとも一つの情報を格納するカタリストＤＢと、前記加入者端末機から人生の目標及び目標を達成するためのアクティビティの入力を受けて前記加入者のプロファイル情報及びソーシャルインタチェンジフィールドを生成するかアップデートし、前記加入者端末機の選択に応じて、他のユーザのアクティビティ、ソーシャルインタチェンジフィールド、前記アクティビティに対応するコメント、目標達成のプロセスに対応するセレモニーのうちの少なくとも一つの情報を提供する制御部とを含む。
【００１７】
前記制御部は、前記加入者端末機の認証を処理する加入者管理部と、前記加入者端末機から人生の目標及び目標を達成するためのアクティビティの入力を受けて前記加入者のプロファイル情報及びソーシャルインタチェンジフィールドにアップデートするソーシャルインタチェンジフィールド制御部と、前記加入者端末機の選択に応じて、他のユーザのアクティビティ、ソーシャルインタチェンジフィールド、前記アクティビティに対応するコメント、目標達成のプロセスに対応するセレモニーのうち少なくとも一つの情報を提供する情報提供部とを含む。
【００１８】
このような課題を解決するための本発明の特徴によるソーシャルネットワーキングサービスの提供方法は、データベース部及び制御部を具備し、少なくとも一つの加入者端末機とネットワーク網を通じて接続されるソーシャルネットワーキングサービスの提供システムのソーシャルネットワーキングサービスの提供方法であって、前記制御部が前記加入者端末機から加入者の個人情報、前記加入者の目標及びアクティビティを含む情報を受信して人生コンテンツを格納するソーシャルインタチェンジフィールドを生成して前記データベース部に格納するステップと、前記加入者端末機からアクティビティが入力されると、前記制御部が前記アクティビティをタグ機能を利用して分類するステップと、前記制御部が前記アクティビティ情報を前記データベースにアップデートするステップとを含む。
【００１９】
さらに、前記アクティビティの入力に応じて所定のセレモニーを提供するステップを含む。
【００２０】
このような課題を解決するための本発明の他の特徴によるソーシャルネットワーキングサービスの提供方法は、データベース部及び制御部を具備し、少なくとも一つの加入者端末機とネットワーク網を通じて接続されるソーシャルネットワーキングサービスの提供システムのソーシャルネットワーキングサービスの提供方法であって、前記制御部が前記加入者端末機にメニュー情報を提供するステップと、前記加入者端末機が全てのアクティビティ表示を選択した場合、前記データベースを参照して全ての加入者のアクティビティを提供するステップと、前記加入者端末機が全てのソーシャルインタチェンジフィールド表示を選択した場合、前記制御部が前記データベースを参照して全ての加入者のソーシャルインタチェンジフィールドの最近のアクティビティを提供するステップと、前記アクティビティを選択すれば、前記アクティビティに対応するソーシャルインタチェンジフィールドを提供するステップとを含む。
【００２１】
さらに、前記端末機の選択によって前記アクティビティに対応するコメントを受信し、前記データベース部に格納するステップを含む。
【００２２】
さらに、前記端末機の選択によって、前記アクティビティに対応する関連資料（Ｖｉｄｅｏ、Ｐｈｏｔｏ、Ｔｅｘｔ、ＣＨＥＣＫ−ＩＮなど）を受信し、前記データベース部に格納するステップを含む。
【００２３】
このような課題を解決するための本発明の特徴によるソーシャルネットワーキングサービスの提供システムは、少なくとも一つの加入者端末機とネットワーク網を通じて接続されるソーシャルネットワーキングサービスの提供システムであって、前記加入者の個人情報、目標及びアクティビティを含むプロファイル情報を格納する加入者プロファイルＤＢと、前記加入者プロファイル情報のうち公開されたプロファイル情報を格納するソーシャルインタチェンジフィールドＤＢと、前記アクティビティに対するコメント及びセレモニー情報のうち少なくとも一つの情報を格納するカタリストＤＢと、前記加入者端末機から人生の目標及び目標を達成するためのアクティビティの入力を受けて前記加入者のプロファイル情報及びソーシャルインタチェンジフィールドを生成するかアップデートし、前記加入者端末機の選択に応じて他のユーザのアクティビティ、ソーシャルインタチェンジフィールド、前記アクティビティに対応するコメント、目標達成のプロセスに対応するセレモニーのうちの少なくとも一つの情報を提供する制御部とを含む。
【００２４】
前記制御部は、前記加入者端末機の認証を処理する加入者管理部と、前記加入者端末機から人生の目標及び目標を達成するためのアクティビティの入力を受けて前記加入者のプロファイル情報及びソーシャルインタチェンジフィールドにアップデートするソーシャルインタチェンジフィールド制御部と、前記加入者端末機の選択に応じて、他のユーザのアクティビティ、ソーシャルインタチェンジフィールド、前記アクティビティに対応するコメント、目標達成のプロセスに対応するセレモニーのうちの少なくとも一つの情報を提供する情報提供部とを含む。
【００２５】
このような課題を解決するための本発明の特徴によるソーシャルネットワーキングサービスの提供方法は、データベース部及び制御部を具備し、少なくとも一つの加入者端末機とネットワーク網を通じて接続されるソーシャルネットワーキングサービスの提供システムのソーシャルネットワーキングサービスの提供方法であって、前記制御部が前記加入者端末機から加入者の個人情報、前記加入者の目標及びアクティビティを含む情報を受信して人生コンテンツを格納するソーシャルインタチェンジフィールドを生成して前記データベース部に格納するステップと、前記加入者端末機からアクティビティが入力されると、前記制御部が前記アクティビティをタグ機能を利用して分類するステップと、前記制御部が前記アクティビティ情報を前記データベースにアップデートするステップとを含む。
【００２６】
さらに、前記アクティビティの入力に応じて所定のセレモニーを提供するステップを含む。
【００２７】
このような課題を解決するための本発明の他の特徴によるソーシャルネットワーキングサービスの提供方法は、データベース部及び制御部を具備し、少なくとも一つの加入者端末機とネットワーク網を通じて接続されるソーシャルネットワーキングサービスの提供システムのソーシャルネットワーキングサービスの提供方法であって、前記制御部が前記加入者端末機にメニュー情報を提供するステップと、前記加入者端末機が全てのアクティビティ表示を選択した場合、前記データベースを参照して全ての加入者のアクティビティを提供するステップと、前記加入者端末機が全てのソーシャルインタチェンジフィールド表示を選択した場合、前記制御部が前記データベースを参照して全ての加入者のソーシャルインタチェンジフィールドの最近のアクティビティを提供するステップと、前記アクティビティを選択すれば、前記アクティビティに対応するソーシャルインタチェンジフィールドを提供するステップとを含む。
【００２８】
さらに、前記端末機の選択によって前記アクティビティに対応するコメントを受信し、前記データベース部に格納するステップを含む。
【００２９】
さらに、前記端末機の選択によって、前記アクティビティに対応する関連資料（Ｖｉｄｅｏ、Ｐｈｏｔｏ、Ｔｅｘｔ、ＣＨＥＣＫ−ＩＮなど）を受信し、前記データベース部に格納するステップを含む。
【００３０】
このような課題を解決するための本発明の他の特徴によるソーシャルネットワーキングサービスの提供システムは、少なくとも一つの加入者端末機とネットワーク網を通じて接続されるソーシャルネットワーキングサービスの提供システムであって、前記加入者の個人情報、目標及びアクティビティを含むプロファイル情報を格納する加入者プロファイルＤＢと、前記加入者プロファイル情報のうち公開されたプロファイル情報を格納するソーシャルインタチェンジフィールドＤＢと、前記アクティビティに対するコメント及びセレモニー情報のうち少なくとも一つの情報を格納するカタリストＤＢと、前記アクティビティの種類に対応する知識情報を格納する知識ＤＢと、知識情報に対応するビジョン情報を格納するビジョンＤＢと、前記ビジョン情報に対応する製品の広告情報を格納する製品広告ＤＢと、前記加入者端末機から人生の目標及び目標を達成するためのアクティビティの入力を受けて前記加入者のプロファイル情報及びソーシャルインタチェンジフィールドを生成するかアップデートし、前記加入者端末機の選択に応じて他のユーザのアクティビティ、ソーシャルインタチェンジフィールド、前記アクティビティに対応するコメント、目標達成のプロセスに対応するセレモニーのうちの少なくとも一つの情報を提供し、前記アクティビティ情報の提供時に前記アクティビティに対応する知識情報、ビジョン情報及び製品広告情報のうちの少なくとも一つを提供する制御部とを含む。
【００３１】
前記制御部は、前記加入者端末機の認証を処理する加入者管理部と、前記加入者端末機から人生の目標及び目標を達成するためのアクティビティの入力を受けて前記加入者のプロファイル情報及びソーシャルインタチェンジフィールドにアップデートするソーシャルインタチェンジフィールド制御部と、前記加入者端末機の選択によって他のユーザのアクティビティ、ソーシャルインタチェンジフィールド、前記アクティビティに対応するコメント、目標達成のプロセスに対応するセレモニーのうちの少なくとも一つの情報を提供する情報提供部と、前記アクティビティ情報の提供時に前記アクティビティに対応する知識情報、ビジョン情報及び製品広告情報のうち少なくとも一つを提供する広告制御部とを含む。
【００３２】
このような課題を解決するための本発明の他の特徴によるソーシャルネットワーキングサービスの提供方法は、データベース部及び制御部を具備し、少なくとも一つの加入者端末機とネットワーク網を通じて接続されるソーシャルネットワーキングサービスの提供システムのソーシャルネットワーキングサービスの提供方法であって、前記制御部が前記加入者端末機にメニュー情報を提供するステップと、前記加入者端末機が全てのアクティビティ表示を選択した場合、前記データベースを参照して全ての加入者のアクティビティと前記アクティビティに対応する知識情報、ビジョン情報、製品広告情報のうちの少なくとも一つの情報の一部を提供するステップと、前記加入者端末機が全てのソーシャルインタチェンジフィールド表示を選択した場合、前記制御部が前記データベースを参照して全ての加入者のソーシャルインタチェンジフィールドの最近のアクティビティと前記アクティビティに対応する知識情報、ビジョン情報、製品広告情報のうちの少なくとも一つの情報の一部を提供するステップと、前記知識情報、ビジョン情報、製品広告情報のうちの少なくとも一つの情報の一部を選択すれば、選択された情報の全体を提供するステップとを含む。
【００３３】
さらに、前記方法は、必要に応じて、前記知識情報、ビジョン情報、製品広告情報のうちの少なくとも一つの情報の一部を選択すれば、前記知識情報、ビジョン情報、製品広告情報を順次に提供するステップを含む。
【発明の効果】
【００３４】
本発明の実施例では、ユーザが自分の人生に対して目標を立て、目標を達成するためのアクティビティを実践し、必要に応じて、目標設定ステップで、またはアクティビティ実践の途中にも、他の加入者の人生コンテンツをみて自分に応用することができ、他のユーザのコメントは、加入者が成功した、幸せな人生を生きていくように、心と行動を変化させる触媒の役割を果たすことができる。
【００３５】
また、目標達成過程によるセレモニーを提供して、目標を達成するためのユーザの心と行動を変化させる触媒の役割を果たすこともできる。
【００３６】
さらに、本発明の実施例は、ソーシャルネットワーキングサービス（ＳＯＣＩＡＬ  ＮＥＴＷＯＲＫ  ＳＥＲＶＩＣＥ）がより未来指向的で、創意的で、かつ生産的なオン−オフライン（ＯＮ−ＯＦＦ  ＬＩＮＥ）空間として位置づけるようにし、商業的な市場価値の拡大だけでなく、社会的な便益（ＳＯＣＩＡＬ  ＢＥＮＥＦＩＴ）を高めることに寄与するようにすることができる。
【００３７】
また、本発明の実施例は、基本的に、ソーシャルネットワークユーザの意図及び関心を読み取ることができるアクティビティに関連した広告を、ユーザと広告主とが双方向に通信するようにし、広告の内容も単純に広告主の製品あるいはサービスを広報することだけにとらわれずに、先ずユーザの立場から必要な情報を段階的に見せて、広告主に対する理解度及び広告の受容性を高め、ソーシャルネットワークユーザ（加入者）の日常的な主要活動と広告主の広告とを互いに連携させることで、ユーザ（加入者）と広告主との両方とも経済的な利益を分かち合い、さらに社会的な便益を増大させることができる。
【図面の簡単な説明】
【００３８】
【図１】本発明の第１実施形態によるソーシャルネットワーキングサービスの提供システムの構成図である。
【図２】本発明の第１実施形態によるソーシャルネットワーキングサービスの提供方法の動作フローチャートである。
【図３】本発明の第１実施形態によるソーシャルネットワーキングサービスの提供方法によって提供される画面の例を示す図面である。
【図４】本発明の第１実施形態によるソーシャルネットワーキングサービスの提供方法によって提供される画面の例を示す図面である。
【図５】本発明の第１実施形態によるソーシャルネットワーキングサービスの提供方法によって提供される画面の例を示す図面である。
【図６】本発明の第１実施形態によるソーシャルネットワーキングサービスの提供方法によって提供される画面の例を示す図面である。
【図７】本発明の第１実施形態によるソーシャルネットワーキングサービスの提供方法によって提供される画面の例を示す図面である。
【図８】本発明の第２実施形態によるソーシャルネットワーキングサービスの提供システムの構成図である。
【図９】本発明の第２実施形態によるソーシャルネットワーキングサービスの提供方法の動作フローチャートである。
【図１０】本発明の第２実施形態によるソーシャルネットワーキングサービスの提供方法によって提供される画面の例を示す図面である。
【図１１】本発明の第２実施形態によるソーシャルネットワーキングサービスの提供方法によって提供される画面の例を示す図面である。
【発明を実施するための形態】
【００３９】
以下では、添付した図面を参照として、本発明の実施例に対して、本発明が属する技術分野で通常の知識を持った者が容易に実施することができるように詳しく説明する。しかし、本発明は、様々の異なる形態で具現化されてもよく、ここで説明する実施例に限らない。そして、図面で本発明を明確に説明するために、説明と関係ない部分は省略し、明細書全体を通じて類似した部分に対しては、類似した図面符号を付けた。
【００４０】
明細書全体において、ある部分がある構成要素を「含む」とすると、これは、特に反対する記載がない限り、他の構成要素を除外するものではなく、他の構成要素をさらに含むことができることを意味する。また、明細書に記載された『…部』、『…基』、『モジュール』などの用語は、少なくとも一つの機能や動作を処理する単位を意味し、これは、ハードウェアやソフトウェア、またはハードウェア及びソフトウェアの結合で具現化されてもよい。
【００４１】
下記で説明する端末機１００は、インターネットが可能な情報端末機ＰＤＡ、スマートフォン、フィーチャーフォン、ノート型パソコン、タブレットＰＣ（ＴＡＢＬＥＴ  ＰＣ）及びパーソナルコンピューターのようなデジタル機器である。
【００４２】
図１は、本発明の第１実施形態によるソーシャルネットワーキングサービスの提供システムの構成図である。
【００４３】
図１を参照すると、本発明の第１実施形態によるソーシャルネットワーキングサービスの提供システムは、少なくとも一つの加入者端末機１００とネットワーク網を通じて接続されるソーシャルネットワーキングサービスの提供システムであって、前記加入者の個人情報、目標及びアクティビティを含むプロファイル情報を格納する加入者プロファイルＤＢ３２１と、前記加入者プロファイル情報のうち公開されたプロファイル情報を格納するソーシャルインタチェンジフィールドＤＢ３２２と、前記アクティビティに対するコメント及びセレモニー情報のうち少なくとも一つの情報を格納するカタリストＤＢ３２３と、前記加入者端末機から人生の目標及び目標を達成するためのアクティビティの入力を受けて前記加入者のソーシャルインタチェンジフィールドを生成するかアップデートし、前記加入者端末機の選択によって他のユーザのアクティビティ、ソーシャルインタチェンジフィールド、前記アクティビティに対応するコメント、目標達成のプロセスに対応するセレモニーのうち少なくとも一つの情報を提供する制御部３１０とを含む。
【００４４】
前記制御部３１０は、前記加入者端末機の認証を処理する加入者管理部３１１と、前記加入者端末機から人生の目標及び目標を達成するためのアクティビティの入力を受けて前記加入者のソーシャルインタチェンジフィールドにアップデートするソーシャルインタチェンジフィールド制御部３１２と、前記加入者端末機の選択によって他のユーザのアクティビティ、ソーシャルインタチェンジフィールド、前記アクティビティに対応するコメント、目標達成過程に対応するセレモニーのうち少なくとも一つの情報を提供する情報提供部３１３とを含む。
【００４５】
前記制御部３１０は、必要に応じて、ユーザの心から否定的な要素を除去するようにすることもでき、ユーザに、目標を立て、これを達成するための具体的なアクティビティを計画することができるようにコメント情報を提示することもでき、ユーザが日常生活で実践したアクティビティを入力すると、前記目標にどの程度近づいたかを分析してセレモニーをすることもできる。前記制御部３１０及びデータベース部３２０を構成する詳細な構成要素は、機能的に分類しただけで、必要に応じては単一のユニットとして機能してもよい。
【００４６】
それでは、このようなソーシャルネットワーキングサービスの提供システムの動作に対して、以下でさらに詳しく説明する。
【００４７】
図２は、本発明の第１実施形態によるソーシャルネットワーキングサービスの提供方法でソーシャルインタチェンジフィールドを生成する過程の動作フローチャートであり、図３〜図７は、第１実施形態によるソーシャルネットワーキングサービスの提供方法によって提供される画面の例を示す図面である。
【００４８】
ここで、ユーザと加入者とは同じ意味であり、ユーザは、会員加入をする前の人、加入者は、会員加入をした人を意味する。
【００４９】
図２を参照すると、ユーザは、自分の端末機を利用してネットワーク網を通じてウェブサーバである制御部３１０に接続する。下記において、端末機１００を利用してインターネットを通じて所定のサーバに接続すれば、サーバが提供するウェブページを端末機画面で見られる技術は、この分野で一般的であるので、詳しい説明は省略する。
【００５０】
この時、加入者管理部３１１は、図３のような初期画面を提供し、このような画面は、多様な変形が可能である。
【００５１】
次いで、端末機からＩＤとパスワードの入力を受けて、加入者管理部３１１は、会員認証の手続きを行う（Ｓ２０１）。
【００５２】
ＩＤやパスワードがない場合、加入者管理部３１１は、会員登録手続きを進めて、会員情報を端末機１００から受信して加入者プロファイルを生成し、入力された情報を格納する。
【００５３】
次いで、情報提供部３１３は、メニュー情報を提供する（Ｓ２０３）。このようなメニュー情報は、多様な表示画面で常に提供される。
【００５４】
以後、加入者がソーシャルインタチェンジフィールドの生成のようなメニューを選択した時は、ソーシャルインタチェンジフィールド制御部３１２が加入者端末機１００から、人生を生きていく上で達成しようとする目標を受信して、当該加入者のソーシャルインタチェンジフィールドを生成してソーシャルインタチェンジフィールドＤＢ３２２に格納し、このような情報は、加入者プロファイルＤＢ３２１にも格納される（Ｓ２０５）。
【００５５】
ここで、ソーシャルインタチェンジフィールド制御部３１２は、必要に応じて、自分の人生コンテンツ（Ｌｉｆｅ  Ｃｏｎｔｅｎｔｓ：ＤＲＥＡＭ、ＨＯＷ−ＴＯ、ＩＯ（中間目標）、ＡＣＴＩＶＩＴＹ）を含むプロファイル情報を詳細に作成し、ユーザの実際の活動結果であるアクティビティは、ユーザのプロファイル（ＵＳＥＲ  ＰＲＯＦＩＬＥ）及びソーシャルインタチェンジフィールド（ＳＯＣＩＡＬ  ＩＮＴＥＲＣＨＡＮＧＥ  ＦＩＥＬＤ）に入力され、アップデート（ＵＰＤＡＴＥ）される。ユーザプロファイル（ＵＳＥＲ  ＰＲＯＦＩＬＥ）は、ソーシャルネットワーク（ＳＯＣＩＡＬ  ＮＥＴＷＯＲＫ）のメンバーであるユーザのＤＲＥＡＭ、ＨＯＷ−ＴＯ及びＩＯ（中間目標）、そしてこれを達成するための活動内容（ＡＣＴＩＶＩＴＹ  ＳＴＲＥＡＭ）などで構成され、ソーシャルインタチェンジフィールドにも同一の内容が含まれるので、場合によってユーザプロファイル及びソーシャルインタチェンジフィールドは、一つにまとめて操作可能である。
【００５６】
ソーシャルネットワークのメンバーであるユーザは、自分が自ら作った人生コンテンツ（Ｌｉｆｅ  Ｃｏｎｔｅｎｔｓ）を土台として、実際に実行に移した活動を分類基準に従って分類し、公開する場合は、当該活動が、自分のユーザプロファイルとソーシャルインタチェンジフィールドとに同時にアップデートされ、非公開の場合は、自分のユーザプロファイルのみにアップデートされる。
【００５７】
また、ソーシャルインタチェンジフィールド制御部３１２は、加入者端末機１００から目標の他にも、目標達成のプロセスに他のセレモニー情報を提供し、これを設定することができる。例えば、目標期間が３ヶ月であり、１ヶ月、２ヶ月、３ヶ月分のアクティビティが入力された場合、１、２、３次セレモニーが別々に提供されてもよい。場合によっては、週単位でセレモニーが提供されてもよい。セレモニーとは、祝いの意味であり、表示機能として多様なアクションが伴ってもよい。セレモニー情報は、カタリストＤＢ３２３に格納される。
【００５８】
一方、加入者がメニューのうちアクティビティ入力メニューを選択した場合（Ｓ２０６）は、ソーシャルインタチェンジフィールド制御部３１２が加入者端末機１００から、目標を達成するために自分が実践したアクティビティを受信し、アクティビティの種類をタグ機能で受信する。ここで、タグは、人生、教育、財産、ビジネスなどと多様に分類され、ユーザが直接入力または選択する方式で提供される。
【００５９】
ソーシャルインタチェンジフィールド制御部３１２は、このように受信したアクティビティを加入者プロファイルＤＢ３２１に格納し、アクティビティが公開である場合、ソーシャルインタチェンジフィールドＤＢ３２２にも格納する。場合によっては、ソーシャルインタチェンジフィールド制御部３１２が加入者プロファイルＤＢ３２１またはソーシャルインタチェンジフィールドＤＢ３２２に選択的に格納してもよい。
【００６０】
そして、図４または図５のような画面にアップデートして端末機１００に提供し、入力は、図４のような画面で行う。入力されたアクティビティは、タグ情報と共に公開され、タグ情報は、ソーシャルインタチェンジフィールドＤＢ３２２にも格納される。図４は、加入者プロファイル画面であり、図５は、ソーシャルインタチェンジフィールド画面であり、各画面への移動はメニューによって行われ、このようなメニュー選択は、多様な方法で行われる。
【００６１】
必要に応じて、アクティビティには、動画、写真などの添付が可能であり、当該添付ファイルの選択時に、ソーシャルインタチェンジフィールド制御部３１２は、加入者プロファイルＤＢ３２１またはソーシャルインタチェンジフィールドＤＢ３２２で当該ファイルを読み込んで提供する。
【００６２】
一方、加入者端末機が全てのアクティビティ表示を選択した場合、前記ソーシャルインタチェンジフィールドＤＢ３２２を参照して、情報提供部３１３が最近のアクティビティを提供するが、この形態は、図３の全てのアクティビティを拡張した形態である（Ｓ２０７）。ここでは、全てのユーザが入力したアクティビティを新しい順に表示する。即ち、一番上のアクティビティが最も新しいものである。
【００６３】
また、前記加入者端末機が全てのソーシャルインタチェンジフィールド表示を選択した場合、情報提供部３１３が前記ソーシャルインタチェンジフィールドＤＢ３２２を参照して、全ての加入者のソーシャルインタチェンジフィールドの簡単な情報を提供し、各ソーシャルインタチェンジフィールド当たり、最近のアクティビティを一つずつ提供する（Ｓ２０８）。ここで、簡単な情報とは、画面表示の制限により、加入者のＩＤ、目標程度である。
【００６４】
このようなアクティビティのうち所望のアクティビティを選択すれば（Ｓ２０９）、情報提供部３１３は、選択されたアクティビティの所有者のソーシャルインタチェンジフィールドを提供する（Ｓ２１０）。
【００６５】
このような画面の例は、図７の通りであり、図７のようなソーシャルインタチェンジフィールドで目標やアクティビティをみながら、選択によって（Ｓ２１１）、前記アクティビティに対応するコメントを入力することができる（Ｓ２１４）。情報提供部３１３は、コメントが入力されると、コメントを受信し、前記カタリストＤＢ３２３に格納する（Ｓ２１５）。ここで、コメントは触媒の役割を果たし、他人のコメントを受信すれば、加入者は、自分の目標実践の意志が高まり、励ましなどを受けてアクティビティをする楽しさが得られる。場合によって、このようなコメントに対して、管理者が別の利点を提供してもよい。例えば、ウェブマネーや景品及びポイントなどを提供することもできる。そして、ソーシャルネットワークカタリスト（ＳＯＣＩＡＬ  ＮＥＴＷＯＲＫ  ＣＡＴＡＬＹＳＴ）は、ユーザの活動を完成度（人生コンテンツの完成程度）、充実度（人生コンテンツを達成することにおける充実度）、活動性（人生コンテンツを達成しようとする活動レベル）、相互性（重要な経験及び知恵を他のユーザと共有しようとするレベル）などの側面で分析してユーザにフィードバック（ＦＥＥＤＢＡＣＫ）することができる。これを通じて、ソーシャルネットワークのメンバー間で活発な社会的交流が促進され、各メンバーが自分の人生コンテンツを達成するようにメンバーの活動をモニタリング（Ｍｏｎｉｔｏｒｉｎｇ）して、評価し、その結果をフィードバックする。
【００６６】
また、必要に応じて、図６のようなプロファイルを公開してもよく、図７と同様に、ここでもコメントや他の機能を使用してもよい。
【００６７】
さらに、シェア（Ｓｈａｒｅ）メニューを選択して、他人のソーシャルインタチェンジフィールドを利用及び変形し、自分のソーシャルインタチェンジフィールドを生成するか、人生コンテンツを生成することもできる（Ｓ２１３）。
【００６８】
このようにソーシャルインタチェンジフィールドが生成されれば、ソーシャルインタチェンジフィールド制御部３１２は、ソーシャルインタチェンジフィールドＤＢ３２２に格納する（Ｓ２１５）。
【００６９】
そして、必要に応じて、自分のコンテンツのうち一部または全部を公開または非公開を選択するようにして、プライバシーが保護できるようにする。この場合に、情報提供部３１３は、公開されたソーシャルインタチェンジフィールドに対してのみユーザに情報を提供する。
【００７０】
以上のように、図５または図７を参照すると、ソーシャルインタチェンジフィールドは、ソーシャルネットワークのメンバーであるユーザの公開されたコンテンツで構成され、ソーシャルネットワークのメンバーであるユーザは、ソーシャルインタチェンジフィールドでユーザ間に活発な社会的交流が行われるようにすることができる。そして、完成度、充実度、活動性、相互性などを評価項目にして提供してもよく、完成度は期間によって定め、充実度はアクティビティの個数などによって定め、活動性や相互性は他人にコメントをした回数等と連動して定められる。このような事項を必要に応じてその基準を多様に変形することができる。そして、必要に応じて、情報提供部３１３は、自分の目標達成程度をプロファイル情報の矢印で表示して分かり易くする。
【００７１】
前記過程におけるメニュー選択は、必要に応じていつでも画面上で操作可能であり、アクティビティ、コメントなどの入力事項は、入力後に加入者プロファイルＤＢ３２１とソーシャルインタチェンジフィールドＤＢ３２２とにアップデートされて、ユーザは直ちにアップデート済みのアクティビティやコメントが見られる。
【００７２】
このような第１実施形態は、多様な変形が可能であり、この中で広告を組み入れた実施形態に関して説明する。
【００７３】
図８は、本発明の第２実施形態によるソーシャルネットワーキングサービスの提供システムの構成図である。
【００７４】
図８を参照すると、本発明の第２実施形態によるソーシャルネットワーキングサービスの提供システムは、少なくとも一つの加入者端末機１００とネットワーク網を通じて接続されるソーシャルネットワーキングサービスの提供システムであって、前記加入者の個人情報、目標及びアクティビティを含むプロファイル情報を格納する加入者プロファイルＤＢ３２１と、前記加入者プロファイル情報のうち公開されたプロファイル情報を格納するソーシャルインタチェンジフィールドＤＢ３２２と、前記アクティビティに対するコメント及びセレモニー情報のうち少なくとも一つの情報を格納するカタリストＤＢ３２３と、前記アクティビティの種類に対応する知識情報を格納する知識ＤＢ３２４と、知識情報に対応するビジョン情報を格納するビジョンＤＢ３２５と、前記ビジョン情報に対応する製品の広告情報を格納する製品広告ＤＢ３２６と、前記加入者端末機から人生の目標及び目標を達成するためのアクティビティの入力を受けて前記加入者のソーシャルインタチェンジフィールドを生成するかアップデートし、前記加入者端末機の選択によって、他のユーザのアクティビティ、ソーシャルインタチェンジフィールド、前記アクティビティに対応するコメント、目標達成過程に対応するセレモニーのうちの少なくとも一つの情報を提供し、前記アクティビティ情報の提供時に前記アクティビティに対応する知識情報、ビジョン情報及び製品広告情報のうちの少なくとも一つを提供する制御部３１０とを含む。
【００７５】
前記制御部３１０は、前記加入者端末機の認証を処理する加入者管理部３１１と、前記加入者端末機から人生の目標及び目標を達成するためのアクティビティの入力を受けて前記加入者のプロファイル情報及びソーシャルインタチェンジフィールドにアップデートするソーシャルインタチェンジフィールド制御部３１２と、前記加入者端末機の選択によって他のユーザのアクティビティ、ソーシャルインタチェンジフィールド、前記アクティビティに対応するコメント、目標達成過程に対応するセレモニーのうち少なくとも一つの情報を提供する情報提供部３１３と、前記アクティビティ情報の提供時に前記アクティビティに対応する知識情報、ビジョン情報及び製品広告情報のうちの少なくとも一つを提供する広告制御部３１４とを含む。
【００７６】
第２実施形態では、第１実施形態の制御部３１０に広告制御部３１４が追加され、データベース部３２０に知識ＤＢ３２４、ビジョンＤＢ３２５、製品広告ＤＢ３２６が追加され、追加された機能以外の他の機能はほぼ同一である。
【００７７】
それでは、このような第２実施形態によるソーシャルネットワーキングサービスの提供システムの動作に対して、以下でさらに詳しく説明し、第１実施形態で説明されなかった内容を主に説明する。
【００７８】
図９は、本発明の第２実施例によるソーシャルネットワーキングサービスの提供方法でソーシャルインタチェンジフィールドを生成する過程の動作フローチャートであり、図１０及び図１１は、第２実施例によるソーシャルネットワーキングサービスの提供方法によって提供される画面の例を示す図面である。
【００７９】
図９を参照すると、第１実施形態と同様に動作ステップ（Ｓ２０１〜２１５）を行う。
【００８０】
さらに、第２実施形態では、アクティビティ情報を提供するステップ（Ｓ２１７）において、広告関連情報を共に表示する。即ち、加入者端末機が全てのアクティビティ表示を選択した場合、前記ソーシャルインタチェンジフィールドＤＢ３２２を参照して情報提供部３１３が最近のアクティビティを提供し、広告制御部３１４が知識情報、ビジョン情報、製品広告情報のうちの少なくとも一つの情報を共に表示する。
【００８１】
また、ソーシャルインタチェンジフィールドを提供するステップ（Ｓ２１８）においても、広告関連情報を共に表示する。即ち、前記加入者端末機が全てのソーシャルインタチェンジフィールド表示を選択した場合、情報提供部３１３が前記ソーシャルインタチェンジフィールドＤＢ３２２を参照して、全ての加入者のソーシャルインタチェンジフィールドの簡単な情報を提供し、広告制御部３１４が知識情報、ビジョン情報、製品広告情報のうちの少なくとも一つの情報を共に表示する。前記ステップ（Ｓ２１７、Ｓ２１８）において、広告制御部が知識情報、ビジョン情報、製品広告情報のうちの少なくとも一つの情報を表示する方法は、多様に変形されてもよく、必要に応じて、知識情報、ビジョン情報、製品広告の順で選択するようにするか順次に提供してもよく、選択された情報の詳細情報を提供してもよい。
【００８２】
このような例を図１０及び図１１に示した。
【００８３】
図１０または図１１を参照すると、アクティビティに対応するタグが表示され、タグに対応する知識情報、ビジョン情報及び製品広告情報が右側に表示される。
【００８４】
ここで、知識情報は、タグに関連した知識情報であり、当該アクティビティに役立つ専門的な知識である。そして、ビジョン情報は、当該アクティビティに対応する知識を提供する広告主が追求する核心価値に関する情報であり、このような情報は、予め広告主や広告製作者から入力を受けて格納しておくか、リアルタイムの入力で通信できるようにする。また、広告情報は、当該企業（機関）や製品の広告になってもよく、このような広告は、既存の広告と類似してもよい。
【００８５】
そして、選択ステップ（Ｓ２０９）では、第１実施形態と違って、前記ステップ（Ｓ２１７、Ｓ２１８）で表示された知識情報、ビジョン情報、製品広告情報３２６を選択可能であり、これを選択すれば、広告制御部３１４が知識ＤＢ３２４、ビジョンＤＢ３２５、製品広告ＤＢ３２６を参照して選択された情報を提供する（Ｓ２１９）。必要に応じて、さらに詳しい情報を提供してもよく、製品購買のウェブページに連動してもよい。そして、このような広告に対する購買として行われる回数などの結果情報を別途に製品広告ＤＢ３２６に格納し、当該広告主にフィードバックすることもできる。
【００８６】
その他のステップは、第１実施形態と類似しているので、詳しい説明は省略する。
【００８７】
このような第２実施形態では、ソーシャルネットワークユーザの意図及び関心を読み取ることができるアクティビティに関連した広告とし、広告の内容も単純に広告主の製品あるいはサービスを広報することだけにとらわれずに、先ずユーザの立場から必要な情報を段階的に表して広告の受容性を高め、ソーシャルネットワークユーザ（加入者）の日常的な主要活動と広告主の広告とを互いに連携させることで、ユーザ（加入者）と広告主との両方とも経済的利益を分かち合い、さらに社会的な便益を増大させることができる。
【００８８】
以上で説明した本発明の実施形態は、装置及び方法を通じてのみ具現されるものではなく、本発明の実施形態の構成に対応する機能を実現するプログラムまたはそのプログラムが記録された記録媒体を通じて具現化することができ、このような具現化は、上記で説明した実施形態の記載から本発明が属する技術分野の専門家なら容易に実現できる。
【００８９】
以上で本発明の実施形態に対して詳しく説明したが、本発明の権利範囲はこれに限らず、次の請求の範囲で定義している本発明の基本概念を利用した当業者の様々な変形及び改良形態も本発明の権利範囲に属する。
【図１】
2013544405.tif 000003
【図２】
2013544405.tif 000004
【図３】
2013544405.tif 000005
【図４】
2013544405.tif 000006
【図５】
2013544405.tif 000007
【図６】
2013544405.tif 000008
【図７】
2013544405.tif 000009
【図８】
2013544405.tif 000010
【図９】
2013544405.tif 000011
【図１０】
2013544405.tif 000012
【図１１】
2013544405.tif 000013
【国際調査報告】
2013544405.tif 000014
2013544405.tif 000015
2013544405.tif 000016
2013544405.tif 000017